【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
識別情報の可変表示を実行し、有利条件が成立したことにもとづいて有利状態に制御する遊技機であって、
第１タイミングと該第１タイミングより後の第２タイミングとにおいて、信頼度が異なる複数種類の予告演出を実行可能な予告演出実行手段と、
いずれの識別情報によるリーチ態様が表示されるかに応じて異なる実行割合により特定予告を実行する特定予告実行手段と、
前記第１タイミングにおいて実行される予告演出にもとづいて、前記第２タイミングにおいて実行される予告演出を決定する予告演出決定手段とを備え、
前記予告演出決定手段は、前記第２タイミングにおいて実行される予告演出の実行において前記第１タイミングにおいて実行される予告演出よりも信頼度が低い種類の予告演出の実行が制限されるように、前記第２タイミングにおいて実行される予告演出を決定する
ことを特徴とする遊技機。
【請求項２】
識別情報の可変表示を実行し、有利条件が成立したことにもとづいて有利状態に制御する遊技機であって、
第１タイミングと該第１タイミングより後の第２タイミングとにおいて、信頼度が異なる複数種類の予告演出を実行可能な予告演出実行手段と、
いずれの識別情報によるリーチ態様が表示されるかに応じて異なる実行割合により特定予告を実行する特定予告実行手段と、
前記第２タイミングにおいて実行される予告演出にもとづいて、前記第１タイミングにおいて実行される予告演出を決定する予告演出決定手段とを備え、
前記予告演出決定手段は、前記第２タイミングにおいて実行される予告演出の実行において前記第１タイミングにおいて実行される予告演出よりも信頼度が低い種類の予告演出の実行が制限されるように、前記第１タイミングにおいて実行される予告演出を決定する
ことを特徴とする遊技機。
【手続補正２】
【補正対象書類名】明細書
【補正対象項目名】０００１
【補正方法】変更
【補正の内容】
【０００１】
本発明は、識別情報の可変表示を実行し、有利条件が成立したことにもとづいて有利状態に制御する遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、第１タイミングにおいて実行される予告演出による遊技者の有利状態に対する期待感を第２タイミングにおいて実行される予告演出によって低下させてしまうことがない遊技機を提供することを目的とする。
【手続補正５】
【補正対象書類名】明細書
【補正対象項目名】０００８
【補正方法】変更
【補正の内容】
【０００８】
（１）本発明による遊技機は、識別情報の可変表示を実行し、有利条件が成立したことにもとづいて有利状態に制御する遊技機であって、第１タイミングと該第１タイミングより後の第２タイミングとにおいて、信頼度が異なる複数種類の予告演出を実行可能な予告演出実行手段と、いずれの識別情報によるリーチ態様が表示されるかに応じて異なる実行割合により特定予告を実行する特定予告実行手段と、前記第１タイミングにおいて実行される予告演出にもとづいて、前記第２タイミングにおいて実行される予告演出を決定する予告演出決定手段とを備え、前記予告演出決定手段は、前記第２タイミングにおいて実行される予告演出の実行において前記第１タイミングにおいて実行される予告演出よりも信頼度が低い種類の予告演出の実行が制限されるように、前記第２タイミングにおいて実行される予告演出を決定することを特徴とする。また、識別情報の可変表示を実行し、有利条件が成立したことにもとづいて有利状態に制御する遊技機であって、第１タイミングと該第１タイミングより後の第２タイミングとにおいて、信頼度が異なる複数種類の予告演出を実行可能な予告演出実行手段と、いずれの識別情報によるリーチ態様が表示されるかに応じて異なる実行割合により特定予告を実行する特定予告実行手段と、前記第２タイミングにおいて実行される予告演出にもとづいて、前記第１タイミングにおいて実行される予告演出を決定する予告演出決定手段とを備え、前記予告演出決定手段は、前記第２タイミングにおいて実行される予告演出の実行において前記第１タイミングにおいて実行される予告演出よりも信頼度が低い種類の予告演出の実行が制限されるように、前記第１タイミングにおいて実行される予告演出を決定するように構成されていてもよい。
そのような構成によれば、第１タイミングにおいて実行される予告演出による遊技者の有利状態に対する期待感を第２タイミングにおいて実行される予告演出によって低下させてしまうことがないという効果を得ることができる。
【手続補正６】
【補正対象書類名】明細書
【補正対象項目名】０００９
【補正方法】変更
【補正の内容】
【０００９】
（２）上記の（１）の遊技機において、有利状態において遊技者にとって不利な第１状態（例えば、閉鎖状態）から遊技者にとって有利な第２状態（例えば、開放状態）に変化する特別可変入賞装置（例えば、大入賞口）を備え、遊技価値付与手段は、特定価値よりも低くない価値の付与として、第２の表示結果が可変表示装置に導出表示されたときに制御される有利状態における第２状態の期間を、第１の表示結果が可変表示装置に導出表示されたときに制御される有利状態における第２状態の期間以上にする（例えば、１２Ｒ大当りに対して、１５Ｒ大当りとする）ように構成されていてもよい。
そのような構成によれば、第１の表示結果以外の識別情報の組み合わせによるリーチ態様が可変表示装置に表示された場合でも、特別可変入賞装置が第２状態である期間が長いという価値が付与される可能性があるので、リーチになった後の遊技の興趣を向上させることができる。
【手続補正７】
【補正対象書類名】明細書
【補正対象項目名】００１１
【補正方法】変更
【補正の内容】
【００１１】
（４）上記の（１）〜（３）の遊技機において、識別情報の可変表示が開始されてから識別情報の表示結果が導出表示されるまでの複数のタイミングである第１タイミングと該第１タイミングより後の第２タイミングとで（図３４（Ａ）参照）、有利状態に制御される可能性を予告する予告演出を実行可能な予告演出実行手段（例えば、演出制御用マイクロコンピュータ１００において、ステップＳ６００３，Ｓ６００７の決定結果にもとづいてステップＳ８４６の処理を実行する部分）と、予告演出を実行するか否かと、予告演出を実行する場合の予告演出の種類を決定する予告演出決定手段（例えば、演出制御用マイクロコンピュータ１００において、ステップＳ６００３，Ｓ６００７の処理を実行する部分）とを備え、予告演出決定手段は、第１タイミングで実行される第１予告演出を、有利状態に制御される可能性が異なる複数段階の第１予告演出（例えば、予告Ａ１，Ａ２，Ａ３）のうちのいずれかに決定し、第２タイミングで実行される第２予告演出を、有利状態に制御される可能性が異なる複数段階の第２予告演出（例えば、予告Ｂ１，Ｂ２，Ｂ３）のうちのいずれかに決定し、第２予告演出を、第１タイミングで実行される第１予告演出による有利状態に制御される可能性の段階よりも、低くない段階に対応する種類に決定する（図３５，図３６参照）ように構成されていてもよい。
そのような構成によれば、第１予告演出による遊技者の有利状態に対する期待感を第２予告演出によって低下させてしまうことがないという効果を得ることができる。
【手続補正８】
【補正対象書類名】明細書
【補正対象項目名】００１２
【補正方法】変更
【補正の内容】
【００１２】
（５）上記の（１）〜（４）の遊技機において、識別情報の可変表示が開始されてからリーチ態様が可変表示装置に表示されるまでの第１タイミングで（図４８参照）、有利状態に制御される可能性を予告する予告演出を実行可能な予告演出実行手段（例えば、演出制御用マイクロコンピュータ１００において、ステップＳ６００３，Ｓ６００７の決定結果にもとづいてステップＳ８４６の処理を実行する部分）と、予告演出を実行するか否かと、予告演出を実行する場合の予告演出の種類を決定する予告演出決定手段（例えば、演出制御用マイクロコンピュータ１００において、ステップＳ６００３，Ｓ６００７の処理を実行する部分）とを備え、予告演出決定手段は、第１タイミングで実行される第１予告演出を、有利状態に制御される可能性が異なる複数段階の第１予告演出（例えば、予告Ａ１，Ａ２，Ａ３）のうちのいずれかに決定し、特定予告実行手段により特定予告が実行される場合には、第１タイミングで実行される第１予告演出を、所定の段階（例えば、信頼度高の段階）よりも低い段階に対応する種類に決定する（図４９参照）ように構成されていてもよい。
そのような構成によれば、特定予告が実行されたことによって遊技者の期待感をより向上させることができる。